(57)【要約】【課題】人や車両に対して正確にマーキングが行なえるようにする。【解決手段】顔料噴射装置２１は、店舗１の出入口１ａの出口側に向いた噴射ノズル２１ａから、顔料２６を噴射して出入口１ａを通過して店外に出てきた人３にマーキングするためのものであり、その噴射動作は噴射制御部４０によって制御される。店舗１が強盗等に襲われた場合、その犯人３が店舗１の出入口１ａを通過して店外に出たタイミングに店員等が操作部４０ａを操作して顔料を噴射させることで、犯人３にマーキングすることができ、後でその人物を特定することができる。【選択図】        図１
2004318320.tif 000002
【特許請求の範囲】
【請求項１】
人または車両の通路の所定位置に顔料を噴射する顔料噴射装置と、
前記顔料噴射装置による顔料の噴射動作を制御する噴射制御部とを有するマーキング装置。
【請求項２】
前記通路の所定位置に人または車両がきたことを検知するセンサを有し、
前記噴射制御部が前記センサの検知信号に基づいて前記顔料噴射装置を制御することを特徴とする請求項１記載のマーキング装置。
【発明の詳細な説明】
【０００１】
【発明の属する技術分野】
本発明は、人物や車両等に対してマーキングを行い、後からその人物や車両を特定できるようにするマーキング装置に関する。
【０００２】
【従来の技術】
金融機関、コンビニエンスストア、貴金属店等では、窃盗や強盗等の事件が発生したときに、逃走する犯人や逃走車両にカラーボールを投げつけてマーキングし、後から犯人や車両を特定できるようにしている。
【０００３】
【発明が解決しようとする課題】
しかしながら、このようにカラーボールを逃走する人物や車両に正確に命中させることは困難であった。
【０００４】
本発明は、この問題を解決して、人物や車両に対して正確にマーキングが行なえるマーキング装置を提供することを目的としている。
【０００５】
【課題を解決するための手段】
前記目的を達成するために、本発明の請求項１のマーキング装置は、
人または車両の通路の所定位置に顔料を噴射する顔料噴射装置と、
前記顔料噴射装置による顔料の噴射動作を制御する噴射制御部とを有している。
【０００６】
また、本発明の請求項２のマーキング装置は、請求項１のマーキング装置において、
前記通路の所定位置に人または車両がきたことを検知するセンサを有し、
前記噴射制御部が前記センサの検知信号に基づいて前記顔料噴射装置を制御することを特徴としている。
【０００７】
【発明の実施の形態】
以下、図面に基づいて本発明の実施の形態を説明する。
図１は、金融機関、コンビニエンスストア、貴金属店等の店舗１に設置される実施形態のマーキング装置２０の基本構成を示している。
【０００８】
このマーキング装置２０は、顔料噴射装置２１と噴射制御部４０とによって構成されている。
【０００９】
顔料噴射装置２１は、店舗１の出入口１ａ（客が出入りする出入口だけでなく、店の関係者専用の出入口や窓も含む）の出口側に向いた噴射ノズル２１ａから、顔料２６を噴射して出入口１ａを通過して店外に出てきた人３にマーキングするためのものであり、その噴射動作は噴射制御部４０によって制御される。
【００１０】
なお、使用する顔料２６は、一旦乾くと容易に消すことができず、且つ、一般的に用いられている塗装用等の顔料と区別できる固有の成分と比率で配合されたものが望ましい。また、顔料２６の噴射の幅（広がり）は出入口１ａの幅にほぼ等しくなるように設定されている。
【００１１】
噴射制御部４０は、店舗１内で店員が操作可能な位置に設けられた操作部４０ａを有し、この操作部４０ａに対する操作によって、顔料噴射装置２１の噴射動作を制御する。
【００１２】
操作部４０ａは、店員が誤操作しにくく且つ犯人から見て死角となる位置（例えばカウンタの裏側、カウンタの下の床面等）に設置され、必要に応じて複数設けてもよい。また、犯人がレジ内の金銭を要求することを考慮して、レジのキー釦の一部（例えば通常は押されないキーや、複数のキー同時押し等）を操作部４０ａとして使用できるように予め改造しておいてもよい。
【００１３】
顔料噴射装置２１は、水圧やガス圧を利用して顔料を噴射するように構成されている。
【００１４】
水圧を利用した顔料噴射装置２１の構成例としては、図２に示すように、高所に配置された水タンク２２と混合器２３との間を管２４で接続するとともに、混合器２３に顔料タンク２５を接続し、管２４から混合器２３に流入する水と顔料タンク２５内の顔料２６とを混合して噴射ノズル２１ａから噴射する。なお、水タンク２２の水は断水時だけ使用し、管２４に水道管２７からの水を流入させるようにしてもよい。
【００１５】
上記構成例の顔料噴射装置２１の噴射動作は、管２４に設けられた電磁弁２８の開閉によって制御することができる。
【００１６】
即ち、この場合、噴射制御部４０は、電磁弁２８を開閉駆動できるように構成されていて、操作部４０ａが操作されると一定時間（あるいは連続して）電磁弁２８を開いて、顔料噴射装置２１の噴射ノズル２１ａから顔料を噴射させる。
【００１７】
また、ガス圧を利用した顔料噴射装置２１の構成例としては、図３のように、顔料２６が入ったスプレー缶３０と、そのスプレー缶３０を着脱自在に保持する保持部３１と、保持部３１に保持されたスプレー缶３０の押し釦３０ａ部分を押し込むシリンダ装置３２とによって構成する。シリンダ装置３２としては、オイルシリンダ、エアシリンダ等が使用できる。
【００１８】
この構成例の顔料噴射装置２１の場合、噴射制御部４０はシリンダ装置３２を駆動できるように構成されていて、操作部４０ａが操作されると一定時間（あるいは連続して）シリンダ装置３２を駆動してスプレー缶３０の押し釦３０ａ部分を押し込んで、スプレー缶３０に取り付けられた噴射ノズル２１ａから顔料を噴射させる。
【００１９】
なお、上記例では、操作部４０ａに対する操作を受けた噴射制御部４０が顔料噴射装置２１の噴射動作を間接的にコントロールしているが、前記電磁弁２８の代わりに手動操作で開閉制御可能な手動弁を用い、これを店員が直接操作して顔料の噴射をコントロールしてもよい。また、前記シリンダ装置３２の代わりにスプレー缶３０の押し釦３０ａと操作部４０ａとの間を機械的に連結する連結機構を設け、操作部４０ａに付与された力を連結機構を介してスプレー缶３０の押し釦３０ａに伝達して、顔料の噴射をコントロールしてもよい。
【００２０】
このように構成されたマーキング装置２０では、店舗１が強盗等に襲われた場合、その犯人が店舗１の出入口１ａを通過して店外に出たタイミングに店員等が操作部４０ａを操作して顔料を噴射させることで、犯人にマーキングすることができ、後でその人物を特定することができる。
【００２１】
また、この顔料噴射装置２１は、犯人が必ず通過する通路としての出入口１ａの出口側に顔料を噴射するように設置されているので、操作タイミングさえ合わせれば、確実なマーキングが行なえる。
【００２２】
また、図４に示すマーキング装置２０′のように、店舗１の出入口１ａに人体を検知するセンサ４０ｂ（例えば赤外線センサ）設け（自動ドアのセンサを兼用してもよい）、噴射制御部４０が、操作部４０ａの操作を受けた後にセンサ４０ｂで人体が検知されたときに、顔料噴射装置２１から顔料を一定時間（連続でもよい）噴射させるように制御することで、店員の操作部４０ａに対する操作タイミングのずれによるマーキングミスを防止できる。この場合、噴射制御部４０の操作部４０ａは、噴射制御部４０の動作を起動するためのものであり、犯人が店内にいる間にすきをみて操作しておけばよい。
【００２３】
また、上記説明では、店舗１の出入口１ａに顔料を噴射していたが、上記のようにセンサ４０ｂで検知して顔料を噴射する構成であれば、出入口に限らず、逃走する犯人が通過する廊下等の通路にセンサ４０ｂを設けてその所定位置に顔料を噴射するように構成してもよい。
【００２４】
また、上記マーキング装置２０、２０′は、店舗以外の各種企業の建物や個人住宅にも設置でき、バスや飛行機等のように、乗員が車内の様子を把握でき、不法者が通過する通路が特定されている乗り物にも設置できる。
【００２５】
また、マーキング対象は人だけでなく車であってもよい。例えば、有料駐車場で料金を払わずに逃走しようとする自動車に顔料を噴射することもできる。
【００２６】
即ち、駐車料金を受け取るための係員が常駐する有料駐車場であれば、その係員が操作部４０ａを操作して、駐車場の出入口を通過する逃走車に顔料を噴射してマーキングする。
【００２７】
また、駐車場の出入口に設置されている料金清算機で駐車料金の清算を行なう無人駐車場で、駐車料金を支払わずにゲートを強引に通過しよとうする車両を、そのゲートに設けたセンサで検知して、顔料を噴射してマーキングする。なお、この場合、監視カメラによる撮影も同時に行なって管理会社や警察へ自動通報する。
【００２８】
【発明の効果】
以上説明したように、本発明のマーキング装置は、人や車両が通過する通路の所定位置に顔料を噴射する顔料噴射装置と、それを制御する噴射制御部とを有している。
【００２９】
このため、カラーボールを投げつける従来の方法に比べ、マーキング対象の人や車両に確実にマーキングできる。
【００３０】
また、マーキング対象の人や車両が通路の所定位置にきたことをセンサによって検知して、顔料を噴射するように構成したものでは、さらに確実なマーキングが行なえる。
【図面の簡単な説明】
【図１】本発明のマーキング装置の基本構成図
【図２】マーキング装置の要部の構成例を示す図
【図３】マーキング装置の要部の別の構成例を示す図
【図４】センサによって噴射タイミングを制御するマーキング装置の構成図
【符号の説明】
１……店舗、１ａ……出入口、２０……マーキング装置、２１……顔料噴射装置、２１ａ……噴射ノズル、２２……水タンク、２３……混合器、２４……管、２５……顔料タンク、２６……顔料、２８……電磁弁、３０……スプレー缶、３１……保持部、３２……シリンダ装置、４０……噴射制御部、４０ａ……操作部、４０ｂ……センサ
【図１】
2004318320.tif 000003
【図２】
2004318320.tif 000004
【図３】
2004318320.tif 000005
【図４】
2004318320.tif 000006